(57)【要約】      （修正有）【課題】小型化できる中継装置及び表示システムを提供する。【解決手段】頭部装着型表示装置と第１外部機器とを接続する中継装置３Ａは、基板と、複数の第１細線を有し、基板の法線方向から見て第１方向に延出する第１ケーブルＣ１と、第１方向とは反対方向に延出する第２ケーブルＣ２と、を備える。基板は、第１面と、第１面とは表裏の関係にある第２面と、複数の第１細線が接続される第１接続部６１と、第２ケーブルが接続される第２接続部６２と、を有する。第１接続部は、第１面に位置し、複数の第１細線の一部が接続される第１コネクター６１１と、第２面に位置し、複数の第１細線の他の一部が接続される第２コネクターと、を有する。第１ケーブル及び第２ケーブルのうち一方のケーブルは、頭部装着型表示装置に接続され、第１ケーブル及び第２ケーブルのうち他方のケーブルは、第１外部機器と接続される。【選択図】図４
2020052799.tif 000002
【特許請求の範囲】
【請求項１】
頭部装着型表示装置と第１外部機器とを接続する中継装置であって、
基板と、
複数の第１細線を有し、前記基板の法線方向から見て第１方向に延出する第１ケーブルと、
前記第１方向とは反対方向に延出する第２ケーブルと、を備え、
前記基板は、
第１面と、
前記第１面とは表裏の関係にある第２面と、
前記複数の第１細線が接続される第１接続部と、
前記第２ケーブルが接続される第２接続部と、を有し、
前記第１接続部は、
前記第１面に位置し、前記複数の第１細線の一部が接続される第１コネクターと、
前記第２面に位置し、前記複数の第１細線の他の一部が接続される第２コネクターと、を有し、
前記第１ケーブル及び前記第２ケーブルのうち一方のケーブルは、前記頭部装着型表示装置に接続され、
前記第１ケーブル及び前記第２ケーブルのうち他方のケーブルは、前記第１外部機器と接続されることを特徴とする中継装置。
【請求項２】
請求項１に記載の中継装置において、
前記第２ケーブルは、複数の第２細線を有し、
前記複数の第１細線の本数は、前記複数の第２細線の本数より大きいことを特徴とする中継装置。
【請求項３】
請求項２に記載の中継装置において、
前記第２接続部は、
前記第１面に位置し、前記複数の第２細線の一部が接続される第３コネクターと、
前記第２面に位置し、前記複数の第２細線の他の一部が接続される第４コネクターと、を有することを特徴とする中継装置。
【請求項４】
請求項１から請求項３のいずれか一項に記載の中継装置において、
前記基板は、前記基板において前記第１方向とは反対方向の部位に設けられ、第２外部機器と接続される第３ケーブルが挿抜可能な第３接続部を有することを特徴とする中継装置。
【請求項５】
頭部装着型表示装置と第１外部機器とを接続する中継装置であって、
基板と、
複数の第１細線を有し、前記基板の法線方向から見て第１方向に延出する第１ケーブルと、を備え、
前記基板は、
第１面と、
前記第１面とは表裏の関係にある第２面と、
前記第１方向に位置し、前記複数の第１細線が接続される第１接続部と、
前記第１方向とは反対方向に位置し、第２ケーブルが接続可能な第２接続部と、を有し、
前記第１接続部は、
前記第１面に位置し、前記複数の第１細線の一部が接続される第１コネクターと、
前記第２面に位置し、前記複数の第１細線の他の一部が接続される第２コネクターと、を有し、
前記第１ケーブル及び前記第２ケーブルのうち一方のケーブルは、前記頭部装着型表示装置に接続され、
前記第１ケーブル及び前記第２ケーブルのうち他方のケーブルは、前記第１外部機器と接続されることを特徴とする中継装置。
【請求項６】
請求項１から請求項５のいずれか一項に記載の中継装置において、
前記第１接続部は、前記基板において前記第１方向の部位に設けられ、
前記第２接続部は、前記基板において前記第１方向とは反対方向の部位に設けられていることを特徴とする中継装置。
【請求項７】
請求項６に記載の中継装置において、
前記基板において前記第１方向の部位に設けられ、ケーブル端子が挿抜可能に構成されて、信号が入出力される外部接続端子を有することを特徴とする中継装置。
【請求項８】
請求項７に記載の中継装置において、
前記外部接続端子は、前記第１面に設けられ、
前記複数の第１細線のうち、前記第１コネクターに接続される第１細線の本数は、前記第２コネクターに接続される第１細線の本数より小さいことを特徴とする中継装置。
【請求項９】
請求項７又は請求項８に記載の中継装置において、
前記基板を収容する筐体を備え、
前記筐体は、
前記第１ケーブルの延出方向に交差する外面部と、
前記外面部に位置し、前記第１ケーブルが挿通される第１開口部と、
前記外面部に位置し、前記外部接続端子を露出させる第２開口部と、を有し、
前記第２開口部は、前記外面部において前記基板の前記第２面から前記第１面に向かう方向における略中央に位置することを特徴とする中継装置。
【請求項１０】
請求項１から請求項９のいずれか一項に記載の中継装置において、
前記第１コネクターは、前記第１面の法線方向から見て前記第１方向に交差する方向に沿い、かつ、前記複数の第１細線の一部が接続される第１接続面を有し、
前記第２コネクターは、前記第２面の法線方向から見て前記第１方向に交差する方向に沿い、かつ、前記複数の第１細線の他の一部が接続される第２接続面を有することを特徴とする中継装置。
【請求項１１】
請求項１から請求項１０のいずれか一項に記載の中継装置において、
前記基板に設けられ、前記他方のケーブルを介して前記第１外部機器から入力される画像情報を処理して前記一方のケーブルを介して前記頭部装着型表示装置に出力する画像処理回路を備えることを特徴とする中継装置。
【請求項１２】
請求項１から請求項１１のいずれか一項に記載の中継装置において、
前記第１ケーブルは、前記頭部装着型表示装置に接続されることを特徴とする中継装置。
【請求項１３】
頭部装着型表示装置と、
請求項１から請求項１２のいずれか一項に記載の中継装置と、を備えることを特徴とする表示システム。
【発明の詳細な説明】
【技術分野】
【０００１】
本発明は、中継装置及び表示システムに関する。
【背景技術】
【０００２】
従来、ユーザーの頭部に装着されて利用され、ユーザーに視認可能に画像を表示する頭部装着型表示装置、いわゆる、ヘッドマウントディスプレイ（ＨＭＤ：Head Mounted Display）が知られている。このようなヘッドマウントディスプレイとして、光学視覚本体、第１リモートコントローラー及び第２リモートコントローラーを備えたものが知られている（例えば、特許文献１参照）。
【０００３】
特許文献１に記載のヘッドマウントディスプレイでは、光学視覚本体は、視聴者の頭部に装着される装着部と、装着部の前方から視聴者の眼前に吊着されるディスプレイ部と、を備える。第１リモートコントローラーは、視聴者が操作する各種スイッチを有し、第２リモートコントローラーは、バッテリー及び電源回路と、ＡＶ接続ケーブルから入力した映像信号を処理して表示制御回路に供給する映像信号処理回路と、ＡＶ接続ケーブルから入力した音声信号を処理してヘッドフォン接続端子に供給する音声信号処理回路と、ディスプレイ部のＬＣＤ駆動部を制御する表示制御回路と、を備える。
これらのうち、第１リモートコントローラーは、第２リモートコントローラーから送出される信号を転送する転送路も備えている。
【先行技術文献】
【特許文献】
【０００４】
【特許文献１】特開平０９−３０４７２９号公報
【発明の概要】
【発明が解決しようとする課題】
【０００５】
しかしながら、特許文献１に記載のヘッドマウントディスプレイにおいて、視聴者が第１リモートコントローラー及び第２リモートコントローラーを身に着けて利用する場合、第１リモートコントローラー及び第２リモートコントローラーが大きいと取り回しが難しいという問題がある。このため、光学視覚本体に接続される構成は小型であることが要望されている。
【課題を解決するための手段】
【０００６】
本発明の第１実施形態に係る中継装置は、頭部装着型表示装置と第１外部機器とを接続する中継装置であって、基板と、複数の第１細線を有し、前記基板の法線方向から見て第１方向に延出する第１ケーブルと、前記第１方向とは反対方向に延出する第２ケーブルと、を備え、前記基板は、第１面と、前記第１面とは表裏の関係にある第２面と、前記複数の第１細線が接続される第１接続部と、前記第２ケーブルが接続される第２接続部と、を有し、前記第１接続部は、前記第１面に位置し、前記複数の第１細線の一部が接続される第１コネクターと、前記第２面に位置し、前記複数の第１細線の他の一部が接続される第２コネクターと、を有し、前記第１ケーブル及び前記第２ケーブルのうち一方のケーブルは、前記頭部装着型表示装置に接続され、前記第１ケーブル及び前記第２ケーブルのうち他方のケーブルは、前記第１外部機器と接続されることを特徴とする。
【０００７】
上記第１態様では、前記第２ケーブルは、複数の第２細線を有し、前記複数の第１細線の本数は、前記複数の第２細線の本数より大きいことが好ましい。
【０００８】
上記第１態様では、前記第２接続部は、前記第１面に位置し、前記複数の第２細線の一部が接続される第３コネクターと、前記第２面に位置し、前記複数の第２細線の他の一部が接続される第４コネクターと、を有することが好ましい。
【０００９】
上記第１態様では、前記基板は、前記基板において前記第１方向とは反対方向の部位に設けられ、第２外部機器と接続される第３ケーブルが挿抜可能な第３接続部を有することが好ましい。
【００１０】
本発明の第２態様に係る中継装置は、頭部装着型表示装置と第１外部機器とを接続する中継装置であって、基板と、複数の第１細線を有し、前記基板の法線方向から見て第１方向に延出する第１ケーブルと、を備え、前記基板は、第１面と、前記第１面とは表裏の関係にある第２面と、前記第１方向に位置し、前記複数の第１細線が接続される第１接続部と、前記第１方向とは反対方向に位置し、第２ケーブルが接続可能な第２接続部と、を有し、前記第１接続部は、前記第１面に位置し、前記複数の第１細線の一部が接続される第１コネクターと、前記第２面に位置し、前記複数の第１細線の他の一部が接続される第２コネクターと、を有し、前記第１ケーブル及び前記第２ケーブルのうち一方のケーブルは、前記頭部装着型表示装置に接続され、前記第１ケーブル及び前記第２ケーブルのうち他方のケーブルは、前記第１外部機器と接続されることを特徴とする。
【００１１】
上記各態様では、前記第１接続部は、前記基板において前記第１方向の部位に設けられ、前記第２接続部は、前記基板において前記第１方向とは反対方向の部位に設けられていることが好ましい。
【００１２】
上記各態様では、前記基板において前記第１方向の部位に設けられ、ケーブル端子が挿抜可能に構成されて、信号が入出力される外部接続端子を有することが好ましい。
【００１３】
上記各態様では、前記外部接続端子は、前記第１面に設けられ、前記複数の第１細線のうち、前記第１コネクターに接続される第１細線の本数は、前記第２コネクターに接続される第１細線の本数より小さいことが好ましい。
【００１４】
上記各態様では、前記基板を収容する筐体を備え、前記筐体は、前記第１ケーブルの延出方向に交差する外面部と、前記外面部に位置し、前記第１ケーブルが挿通される第１開口部と、前記外面部に位置し、前記外部接続端子を露出させる第２開口部と、を有し、前記第２開口部は、前記外面部において前記基板の前記第２面から前記第１面に向かう方向における略中央に位置することが好ましい。
【００１５】
上記各態様では、前記第１コネクターは、前記第１面の法線方向から見て前記第１方向に交差する方向に沿い、かつ、前記複数の第１細線の一部が接続される第１接続面を有し、前記第２コネクターは、前記第２面の法線方向から見て前記第１方向に交差する方向に沿い、かつ、前記複数の第１細線の他の一部が接続される第２接続面を有することが好ましい。
【００１６】
上記各態様では、前記基板に設けられ、前記他方のケーブルを介して前記第１外部機器から入力される画像情報を処理して前記一方のケーブルを介して前記頭部装着型表示装置に出力する画像処理回路を備えることが好ましい。
【００１７】
上記各態様では、前記第１ケーブルは、前記頭部装着型表示装置に接続されることが好ましい。
【００１８】
本発明の第３態様に係る表示システムは、頭部装着型表示装置と、上記中継装置と、を備えることを特徴とする。
【図面の簡単な説明】
【００１９】
【図１】本発明の第１実施形態に係る表示システムの構成を示す模式図。
【図２】上記第１実施形態における中継装置を正面側上方から見た斜視図。
【図３】上記第１実施形態における中継装置を背面側下方から見た斜視図。
【図４】上記第１実施形態における筐体を取り外した中継装置を示す正面図。
【図５】上記第１実施形態における筐体を取り外した中継装置を示す背面図。
【図６】上記第１実施形態における中継装置を示す断面図。
【図７】上記第１実施形態における中継装置の変形である中継装置の基板を示す正面図。
【図８】上記第１実施形態における中継装置の変形である中継装置の基板を示す背面図。
【図９】上記第１実施形態における中継装置の変形である中継装置の基板を示す正面図。
【図１０】本発明の第２実施形態に係る表示システムが備える中継装置の内部構成を示す正面図。
【図１１】本発明の第３実施形態に係る表示システムが備える中継装置の内部構成を示す正面図。
【発明を実施するための形態】
【００２０】
［第１実施形態］
以下、本発明の第１実施形態について、図面に基づいて説明する。
［表示システムの構成］
図１は、本実施形態に係る表示システム１の構成を示す模式図である。
本実施形態に係る表示システム１は、図１に示すように、頭部装着型表示装置２と、頭部装着型表示装置２及び外部機器ＥＤに接続される中継装置３Ａと、を備える。表示システム１は、第１外部機器としての外部機器ＥＤから入力される画像情報を中継装置３Ａが処理し、処理した画像情報に基づく画像信号を中継装置３Ａが頭部装着型表示装置２に出力して、頭部装着型表示装置２によって画像を表示する。
以下、表示システム１の構成について詳述する。
なお、本実施形態では、外部機器ＥＤとしてスマートフォンを例示しているが、これに限らず、中継装置３Ａに画像情報を出力可能であれば、他の装置及び機器でもよい。
【００２１】
［頭部装着型表示装置の構成］
頭部装着型表示装置２は、ユーザーの頭部に装着されて利用され、中継装置３Ａから入力される画像信号に応じた画像をユーザーによって視認可能に表示する。
頭部装着型表示装置２は、表示部２１、支持部２２、テンプル２３Ｌ，２３Ｒ及びノーズパッドＮＰを備える。
【００２２】
表示部２１は、入力される画像信号に応じた画像光を所定の視認位置に出射して、出射した画像光により形成される画像を表示する。所定の視認位置は、表示部２１を構成する光学系によって形成された射出瞳の位置である。本実施形態では、所定の視認位置は、ユーザーの左眼及び右眼に応じた仮想の位置に設定されている。
そして、表示部２１は、視認位置の１つであるユーザーの左眼に左眼用画像光を出射して左眼用画像を表示する左側表示部２１Ｌと、視認位置の他の１つであるユーザーの右眼に右眼用画像光を出射して右眼用画像を表示する右側表示部２１Ｒと、を有する。
【００２３】
左側表示部２１Ｌは、頭部装着型表示装置２を装着したユーザーにとっての左側に位置する。左側表示部２１Ｌは、左眼用画像を形成する左眼用画像光を出射する画像出射部としての左側出射部２１Ｌ１と、左側出射部２１Ｌ１から出射された左眼用画像光をユーザーの左眼に導いて、左眼用画像を左眼によって視認可能に表示する左側導光部２１Ｌ２と、を有する。左側出射部２１Ｌ１は、支持部２２を構成する左側筐体２２２Ｌ内に収容され、左側導光部２１Ｌ２は、ユーザーの左眼に応じて配置される。
【００２４】
右側表示部２１Ｒは、頭部装着型表示装置２を装着したユーザーにとっての右側に位置する。右側表示部２１Ｒは、右眼用画像を形成する右眼用画像光を出射する画像出射部としての右側出射部２１Ｒ１と、右側出射部２１Ｒ１から出射された右眼用画像光をユーザーの右眼に導いて、右眼用画像を右眼によって視認可能に表示する右側導光部２１Ｒ２と、を有する。右側出射部２１Ｒ１は、支持部２２を構成する右側筐体２２２Ｒ内に収容され、右側導光部２１Ｒ２は、ユーザーの右眼に応じて配置される。
【００２５】
支持部２２は、表示部２１及びテンプル２３Ｌ，２３Ｒを支持する。支持部２２は、フレーム２２１、左側筐体２２２Ｌ及び右側筐体２２２Ｒを有する。
フレーム２２１は、ユーザーにとっての左右方向に延出する金属製部材であり、左側導光部２１Ｌ２及び右側導光部２１Ｒ２と、ノーズパッドＮＰと、を支持する。なお、ノーズパッドＮＰは、左側導光部２１Ｌ２及び右側導光部２１Ｒ２の間に配置される。
左側筐体２２２Ｌは、フレーム２２１における左側の端部に固定され、左側出射部２１Ｌ１を内部に収容する。
右側筐体２２２Ｒは、フレーム２２１における右側の端部に固定され、右側出射部２１Ｒ１を内部に収容する。
なお、左側筐体２２２Ｌからは、頭部装着型表示装置２と中継装置３Ａとを接続する第１ケーブルＣ１が延出している。
【００２６】
テンプル２３Ｌは、左側筐体２２２Ｌにおける背面側の端部に回動可能に支持され、テンプル２３Ｒは、右側筐体２２２Ｒにおける背面側の端部に回動可能に支持されている。テンプル２３Ｌ，２３Ｒがユーザーの左右の耳に懸架され、かつ、ノーズパッドＮＰがユーザーの鼻に当接する状態となることによって、頭部装着型表示装置２は、ユーザーの頭部に装着される。
【００２７】
［中継装置の構成］
図２及び図３は、中継装置３Ａを正面側上方及び背面側下方から見た斜視図である。
中継装置３Ａは、頭部装着型表示装置２及び外部機器ＥＤと接続され、頭部装着型表示装置２及び外部機器ＥＤの一方から出力された電気信号を他方に出力して、頭部装着型表示装置２と外部機器ＥＤとの間を中継する。本実施形態では、中継装置３Ａは、外部機器ＥＤから出力された画像信号及び音声信号を加工及び増幅する等して、頭部装着型表示装置２に出力する。
中継装置３Ａは、図２及び図３に示すように、筐体４Ａと、頭部装着型表示装置２に接続される第１ケーブルＣ１と、外部機器ＥＤに接続される第２ケーブルＣ２とを備える。
【００２８】
［筐体の構成］
筐体４Ａは、正面部４１、背面部４２、天面部４３、底面部４４、左側面部４５及び右側面部４６を有し、全体略楕円柱状に形成されている。
以下の説明では、互いに直交する＋Ｘ方向、＋Ｙ方向及び＋Ｚ方向のうち、＋Ｚ方向を背面部４２から正面部４１に向かう方向とし、＋Ｙ方向を底面部４４から天面部４３に向かう方向とし、＋Ｘ方向を左側面部４５から右側面部４６に向かう方向とする。また、図示を省略するが、説明の便宜上、＋Ｘ方向、＋Ｙ方向及び＋Ｚ方向のそれぞれの反対方向を、−Ｘ方向、−Ｙ方向及び−Ｚ方向とする。
【００２９】
図２に示すように、正面部４１には、ボタンＢＴ１，ＢＴ２が＋Ｙ方向に並んで配置されている。ボタンＢＴ１，ＢＴ２は、音量調整ボタンであり、天面部４３に開口するイヤホンジャックＥＪに供給される音声信号の信号レベルを増減させる操作を受け付ける。
ボタンＢＴ１，ＢＴ２は、メンブレンスイッチであり、筐体４Ａ内に位置する基板５Ａと接続されるフレキシブルプリント基板ＦＰＣ（図６参照）に設けられている。しかしながら、ボタンＢＴ１，ＢＴ２は、プッシュスイッチであってもよく、ボタンＢＴ１，ＢＴ２に代えてタッチパネルが設けられていてもよい。また、ボタンＢＴ１，ＢＴ２は、音量調整に限らず、他の機能を実行させる操作を受け付けるボタンであってもよい。
【００３０】
天面部４３は、頭部装着型表示装置２と接続される第１ケーブルＣ１を保持する保持部４３１を＋Ｘ方向の部位に有する。第１ケーブルＣ１は、保持部４３１を＋Ｙ方向に貫通する第１開口部４３２を挿通し、筐体４Ａの外部に＋Ｙ方向に延出している。すなわち、天面部４３は、天面部４３は、筐体４Ａにおいて第１ケーブルＣ１の延出方向に位置する外面部に相当する。また、天面部４３は、イヤホンジャックＥＪを露出させる第２開口部４３３を−Ｘ方向の部位に有する。第２開口部４３３は、天面部４３において＋Ｚ方向の略中央に位置している。なお、＋Ｚ方向は、後述する基板５Ａの第１面５Ａ１及び第２面５Ａ２のうち、第２面５Ａ２から第１面５Ａ１に向かう方向でもある。
左側面部４５には、基板５Ａに設けられたプッシュスイッチ５３，５４（図４参照）を押下するキートップＫＴが設けられている。なお、キートップＫＴ及びプッシュスイッチ５３，５４の機能と、ボタンＢＴ１，ＢＴ２の機能とは逆でもよい。
【００３１】
図３に示すように、背面部４２には、ユーザーの着衣等に中継装置３Ａを保持させるクリップＣＰが設けられている。
底面部４４は、外部機器ＥＤと接続可能な第２ケーブルＣ２を保持する保持部４４１を＋Ｘ方向の部位に有する。第２ケーブルＣ２は、保持部４４１を＋Ｙ方向に貫通する開口部４４２を挿通し、筐体４Ａの外部に−Ｙ方向に延出している。なお、図１に示したように、第２ケーブルＣ２の先端には、外部機器ＥＤに挿入されるケーブル端子Ｃ２１が設けられている。なお、本実施形態では、ＵＳＢケーブルであり、ケーブル端子Ｃ２１は、ＵＳＢ（Universal Serial Bus）  Ｔｙｐｅ−Ｃ端子である。しかしながら、これに限らず、ケーブル端子Ｃ２１は、マイクロＵＳＢ端子やミニＵＳＢ端子等の他のＵＳＢ端子であってもよい。この他、第２ケーブルＣ２は、例えばDisplayPortやＨＤＭＩ（登録商標：High-Definition Multimedia Interface）等の他の映像入力ケーブルであってもよい。
なお、保持部４３１，４４１を結ぶ方向は、＋Ｙ方向と平行である。すなわち、保持部４３１を挿通して筐体４Ａの外部に延出する第１ケーブルＣ１の中心軸と、保持部４４１を挿通して筐体４Ａの外部に延出する第２ケーブルＣ２の中心軸とは、それぞれＹ方向と平行であり、かつ、＋Ｙ方向と平行な同一直線上に位置する。
【００３２】
［中継装置の内部構成］
図４及び図５は、筐体４Ａを取り外した中継装置３Ａを示す正面図及び背面図である。換言すると、図４は、筐体４Ａ内に収容される基板５Ａを、基板５Ａの第１面５Ａ１の法線方向である＋Ｚ方向から見た平面図であり、図５は、基板５Ａを、基板５Ａの第２面５Ａ２の法線方向である−Ｚ方向から見た平面図である。
中継装置３Ａは、図４及び図５に示すように、筐体４Ａ内に配置される基板５Ａを備える。
基板５Ａは、＋Ｙ方向に長い略長方形状のリジッド基板であり、ＸＹ平面に沿って配置される。基板５Ａは、＋Ｚ方向の面である第１面５Ａ１と、−Ｚ方向の面であり、第１面５Ａ１と表裏の関係にある第２面５Ａ２と、を有する。第１面５Ａ１及び第２面５Ａ２は、それぞれ実装面である。
基板５Ａは、第１面５Ａ１又は第２面５Ａ２にそれぞれ設けられる外部接続端子５１、接続素子５２、プッシュスイッチ５３，５４、複数の回路素子５５、複数の回路素子５６及び画像処理回路５７と、第１接続部６１及び第２接続部６２と、を有する。
【００３３】
外部接続端子５１、接続素子５２、プッシュスイッチ５３，５４及び複数の回路素子５５は、図４に示すように、第１面５Ａ１に実装されている。
外部接続端子５１は、ケーブル端子であるイヤホン端子が挿抜可能なイヤホンジャックＥＪを有するコネクターである。外部接続端子５１は、イヤホンジャックＥＪが＋Ｙ方向に開口するように、第１面５Ａ１において＋Ｙ方向で−Ｘ方向の隅部に設けられている。
なお、外部接続端子５１は、イヤホン端子が挿抜可能なイヤホンジャックＥＪを有するコネクターに限らず、他の外部機器と接続可能であればよい。換言すると、外部接続端子５１は、音声信号を出力する端子でなくてもよく、他の外部機器と接続されるケーブルの端子を挿抜可能に構成されていればよい。また、例えば、外部接続端子５１は、外部バッテリーから給電される端子であってもよく、カメラ等の画像入力機器から画像信号が入力される端子であってもよい。すなわち、外部接続端子５１は、イヤホンジャックＥＪに代えて、或いは、加えて、ＵＳＢ端子等の他の接続端子を有していてもよい。
【００３４】
図６は、ＹＺ平面に沿う中継装置３Ａの断面を＋Ｘ方向から見た図である。詳述すると、図６は、ＹＺ平面と平行で、ケーブルＣ１，Ｃ２の中心軸を含む中継装置３Ａの断面を＋Ｘ方向から見た図である。
ここで、図２に示したように、イヤホンジャックＥＪは、天面部４３において＋Ｚ方向の略中央に位置する第２開口部４３３にて外部に露出される。すなわち、イヤホンジャックＥＪは、天面部４３において＋Ｚ方向の略中央に位置する。このようにイヤホンジャックＥＪを配置するために、外部接続端子５１が実装される基板５Ａは、図６に示すように、筐体４Ａ内の空間Ｓにおいて背面部４２側、すなわち、−Ｚ方向寄りの位置に配置されている。換言すると、基板５Ａは、正面部４１の内面と背面部４２の内面との間の中央を通り、＋Ｙ方向と平行な中心線ＣＬに対して、−Ｚ方向に位置している。これにより、イヤホンジャックＥＪを天面部４３における＋Ｚ方向の略中央に配置できる。
なお、図示を省略するが、筐体４Ａの内面には、基板５Ａを保持する保持部が設けられている。
【００３５】
図４に示すように、接続素子５２は、第１面５Ａ１において外部接続端子５１に対して−Ｙ方向の位置に実装されるコネクターである。接続素子５２は、ボタンＢＴ１，ＢＴ２が設けられたフレキシブルプリント基板ＦＰＣと接続される。
プッシュスイッチ５３，５４は、第１面５Ａ１における−Ｘ方向の端縁に沿って配置されている。プッシュスイッチ５３は、上記のように、キートップＫＴにおける＋Ｙ方向の部位が押下されることによって押下され、所定の操作信号を基板５Ａに出力する。プッシュスイッチ５４は、キートップＫＴにおける−Ｙ方向の部位が押下されることによって押下され、所定の操作信号を基板５Ａに出力する。
【００３６】
複数の回路素子５５は、第１面５Ａ１における＋Ｙ方向の領域５Ａ１１、−Ｙ方向の領域５Ａ１２、及び、＋Ｙ方向の中央の領域５Ａ１３に設けられている。
具体的に、領域５Ａ１１における＋Ｘ方向の部位には、＋Ｘ方向及び＋Ｙ方向のそれぞれに沿って２つずつ、合計４つの回路素子５５が実装されている。同様に、領域５Ａ１２における略中央には、＋Ｘ方向及び＋Ｙ方向のそれぞれに沿って２つずつ、合計４つの回路素子５５が実装されている。一方、領域５Ａ１１と領域５Ａ１２との間の領域５Ａ１３には、＋Ｘ方向に沿って４つの回路素子５５が実装されている。
【００３７】
複数の回路素子５６は、図５に示すように、第２面５Ａ２における＋Ｙ方向の領域５Ａ２１に実装されている。具体的に、領域５Ａ２１における略中央には、＋Ｘ方向及び＋Ｙ方向のそれぞれに沿って２つずつ、合計４つの回路素子５６が実装されている。
なお、それぞれ複数の回路素子５５，５６のうちの少なくとも１つの回路素子は、第２ケーブルＣ２から入力される音声情報を処理する音声処理回路である。音声処理回路は、ボタンＢＴ１，ＢＴ２から入力される操作信号に応じて、当該音声情報に基づきイヤホンジャックＥＪに供給される音声信号の信号レベルを増減させる。
【００３８】
画像処理回路５７は、第２面５Ａ２における−Ｙ方向の領域５Ａ２２に実装されている。画像処理回路５７は、第２ケーブルＣ２から入力される画像情報を処理する。例えば、画像処理回路５７は、入力される画像情報を処理して、頭部装着型表示装置２に出力する画像信号に変換する。詳述すると、画像処理回路５７は、入力される画像情報に基づいて、左側表示部２１Ｌの左側出射部２１Ｌ１に出力する画像信号、すなわち、左眼用画像を形成するための左眼用画像信号を生成する他、右側表示部２１Ｒの右側出射部２１Ｒ１に出力する画像信号、すなわち、右眼用画像を形成するための右眼用画像信号を生成する。そして、画像処理回路５７は、生成した画像信号を、第１ケーブルＣ１を介して、頭部装着型表示装置２に出力する。
【００３９】
［第１ケーブル及び第２ケーブルの構成］
第１ケーブルＣ１は、複数の第１細線ＴＬ１を有し、複数の第１細線ＴＬ１が絶縁体である保護被膜によって束ねられたケーブルであり、第１接続部６１に接続される。第１ケーブルＣ１は、上記のように、天面部４３から＋Ｙ方向に延出して、頭部装着型表示装置２と中継装置３Ａとを電気的に接続する。第１ケーブルＣ１の中継装置３Ａ側の端部において、複数の第１細線ＴＬ１のうち、一部の第１細線ＴＬ１である複数の第１細線ＴＬ１１は、図４及び図６に示すように、第１面５Ａ１側に引き回され、他の一部の第１細線ＴＬ１である複数の第１細線ＴＬ１２、すなわち、残りの第１細線ＴＬ１である複数の第１細線ＴＬ１２は、図５及び図６に示すように、第２面５Ａ２側に引き回される。
第２ケーブルＣ２は、複数の第２細線ＴＬ２を有し、複数の第２細線ＴＬ２が絶縁体である保護被膜によって束ねられたケーブルであり、第２接続部６２に接続される。第２ケーブルＣ２は、上記のように、底面部４４から−Ｙ方向に延出して、外部機器ＥＤと中継装置３Ａとを電気的に接続する。
【００４０】
［第２ケーブルが接続される第２接続部の構成］
先に、第２接続部６２について説明する。
第２接続部６２は、図５に示すように、第１面５Ａ１において−Ｙ方向の部位に実装され、第２ケーブルＣ２が有する複数の第２細線ＴＬ２と接続されるコネクターである。詳述すると、第２接続部６２は、第１面５Ａ１において領域５Ａ１２と領域５Ａ１３との間に、複数の第２細線ＴＬ２のそれぞれと接続される接続面６２１が、第１方向である＋Ｙ方向に交差する＋Ｘ方向に沿い、かつ、−Ｙ方向を向くように配置される。すなわち、第２接続部６２の長手方向は、＋Ｘ方向に沿う。
このため、第２接続部６２に接続された複数の第２細線ＴＬ２は、領域５Ａ１２に実装された複数の回路素子５５を＋Ｚ方向にて覆う。
なお、第２接続部６２に接続された複数の第２細線ＴＬ２と、正面部４１の内面との間には、図６に示すように、弾性部材ＳＭが設けられている。
【００４１】
［第１ケーブルが接続される第１接続部の構成］
第１接続部６１は、第１ケーブルＣ１と接続される。第１接続部６１は、図４に示すように、第１面５Ａ１における＋Ｙ方向の部位で、＋Ｘ方向寄りの位置に設けられた第１コネクター６１１と、図５に示すように、第２面５Ａ２における＋Ｙ方向の部位に設けられた第２コネクター６１２と、により構成される。すなわち、第１接続部６１は、第２接続部６２に対して基板５Ａにおける＋Ｙ方向の部位に設けられている。
【００４２】
詳述すると、第１コネクター６１１は、第１面５Ａ１において領域５Ａ１１と領域５Ａ１３との間に、第１面５Ａ１側に引き回された複数の第１細線ＴＬ１１と接続される第１接続面６１１１が、第１方向である＋Ｙ方向に交差する＋Ｘ方向に沿い、かつ、＋Ｙ方向を向くように実装されている。すなわち、第１コネクター６１１は、第１面５Ａ１の法線方向である＋Ｚ方向から見て、＋Ｘ方向に延び、かつ、複数の第１細線ＴＬ１１が接続される第１接続面６１１１を有する。そして、第１接続面６１１１に接続された複数の第１細線ＴＬ１１は、領域５Ａ１１に実装された複数の回路素子５５を＋Ｚ方向にて覆う。
【００４３】
第２コネクター６１２は、図５に示すように、第２面５Ａ２において領域５Ａ２１と領域５Ａ２２との間に、第２面５Ａ２側に引き回された複数の第１細線ＴＬ１２と接続される第２接続面６１２１が、第１方向である＋Ｙ方向と交差する＋Ｘ方向に沿い、かつ、＋Ｙ方向を向くように実装されている。すなわち、第２コネクター６１２は、第２面５Ａ２の法線方向である−Ｚ方向から見て、＋Ｘ方向に延び、かつ、複数の第１細線ＴＬ１２が接続される第２接続面６１２１を有する。そして、第２接続面６１２１に接続された複数の第１細線ＴＬ１２は、−Ｚ方向にて領域５Ａ２１に実装された複数の回路素子５６を覆う。
【００４４】
なお、本実施形態では、第１コネクター６１１に接続される複数の第１細線ＴＬ１１の本数は、第２コネクター６１２に接続される複数の第１細線ＴＬ１２の本数より小さい。これは、第１面５Ａ１において第１コネクター６１１の実装位置近傍には、外部接続端子５１が実装されており、第１面５Ａ１に大きな第１コネクター６１１を配置するスペースが無いためである。
これに対し、第１コネクター６１１に接続される第１細線ＴＬ１１の本数を第２コネクター６１２に接続される第１細線ＴＬ１２の本数より小さくして、小型の第１コネクター６１１を採用し、第１面５Ａ１に第１コネクター６１１を配置可能としている。
しかしながら、これに限らず、第１コネクター６１１に接続される複数の第１細線ＴＬ１１の本数は、第２コネクター６１２に接続される複数の第１細線ＴＬ１２の本数と同数であってもよく、複数の第１細線ＴＬ１２の本数より小さくてもよい。
【００４５】
また、図４に示すように、第１ケーブルＣ１において第１細線ＴＬ１の露出部位から第１コネクター６１１までの寸法を寸法α１とし、図５に示すように、第１ケーブルＣ１において第１細線ＴＬ１の露出部位から第２コネクター６１２までの寸法を寸法α２とした場合、寸法α１及び寸法α２のうち値が小さい方の寸法は、２０ｍｍ以上である。本実施形態では、寸法α１は、寸法α２より大きいことから、寸法α２は、２０ｍｍ以上の値である。これは、第１ケーブルＣ１が有する複数の第１細線ＴＬ１を、各コネクター６１１，６１２に接続するために必要な寸法である。
【００４６】
第１ケーブルＣ１が有する複数の第１細線ＴＬ１の本数は、第２ケーブルＣ２が有する複数の第２細線ＴＬ２の本数より大きい。
ここで、第２コネクター６１２を設けずに、全ての第１細線ＴＬ１を第１コネクター６１１に接続する構成を検討した場合、第１コネクター６１１における第１細線ＴＬ１の配列方向の寸法は、全ての第２細線ＴＬ２が接続される第２接続部６２の第２細線ＴＬ２の配列方向の寸法より大きくなる。このため、第１コネクター６１１及び第２接続部６２のそれぞれを第１面５Ａ１において＋Ｘ方向に沿うように配置した場合、基板５Ａにおける＋Ｘ方向の寸法が大きくなり、ひいては、中継装置が大きくなる。
【００４７】
これに対し、本実施形態では、複数の第１細線ＴＬ１のうち、一部の第１細線ＴＬ１である複数の第１細線ＴＬ１１を第１面５Ａ１側に引き回し、残りの第１細線ＴＬ１である複数の第１細線ＴＬ１２を第２面５Ａ２側に引き回した上で、複数の第１細線ＴＬ１１を第１コネクター６１１に接続し、複数の第１細線ＴＬ１２を第２コネクター６１２に接続している。これにより、基板５Ａにおける＋Ｘ方向の寸法を小さくでき、ひいては、中継装置３Ａの小型化を図ることができる。
【００４８】
［第１実施形態の効果］
以上説明した本実施形態に係る中継装置３Ａ及び表示システム１によれば、以下の効果を奏することができる。
表示システム１は、ユーザーの頭部に装着される頭部装着型表示装置２と、中継装置３Ａと、を備える。中継装置３Ａは、頭部装着型表示装置２と第１外部機器である外部機器ＥＤとを接続するものである。中継装置３Ａは、基板５Ａと、複数の第１細線ＴＬ１を有し、基板５Ａの法線方向である＋Ｚ方向から見て第１方向である＋Ｙ方向に延出する第１ケーブルＣ１と、第１方向とは反対方向である−Ｙ方向に延出する第２ケーブルＣ２と、を備える。基板５Ａは、第１面５Ａ１と、第１面５Ａ１とは表裏の関係にある第２面５Ａ２と、複数の第１細線ＴＬ１が接続される第１接続部６１と、第２ケーブルＣ２が接続される第２接続部６２と、を有する。第１接続部６１は、第１面５Ａ１に位置し、複数の第１細線ＴＬ１の一部である複数の第１細線ＴＬ１１が接続される第１コネクター６１１と、第２面５Ａ２に位置し、複数の第１細線ＴＬ１の他の一部である複数の第１細線ＴＬ１２が接続される第２コネクター６１２と、を有する。そして、第１ケーブルＣ１は、頭部装着型表示装置２に接続され、第２ケーブルＣ２は、外部機器ＥＤと接続される。
このような構成によれば、上記のように、基板５Ａの＋Ｘ方向の寸法を小さくすることができる。従って、中継装置３Ａの寸法を小さくできる。
【００４９】
第２ケーブルＣ２は、複数の第２細線ＴＬ２を有する。複数の第１細線ＴＬ１の本数は、複数の第２細線ＴＬ２の本数より多い。
これによれば、第１接続部６１に接続される第１細線ＴＬ１の本数は、第２接続部６２に接続される第２細線ＴＬ２の本数より大きい。従って、第１細線ＴＬ１を第１コネクター６１１及び第２コネクター６１２に分割して接続することによって、基板５Ａの＋Ｘ方向の寸法を効果的に低減できる。
【００５０】
第１接続部６１は、基板５Ａにおいて第１方向である＋Ｙ方向の部位に設けられ、第２接続部６２は、基板５Ａにおいて第１方向とは反対方向である−Ｙ方向の部位に設けられている。
これによれば、第１ケーブルＣ１が有する第１細線ＴＬ１の第１接続部６１への接続、及び、第２ケーブルＣ２が有する第２細線ＴＬ２の第２接続部６２への接続を容易に実施できる。この他、第１接続面６１１１が＋Ｙ方向を向き、接続面６２１が−Ｙ方向を向く状態で、第１コネクター６１１及び第２接続部６２が＋Ｘ方向に並んで配置される場合に比べて、＋Ｘ方向における基板５Ａの寸法を小さくできる。
【００５１】
中継装置３Ａは、基板５Ａにおいて第１方向である＋Ｙ方向の部位に設けられ、ケーブル端子としてのイヤホン端子が挿抜可能に構成されて、信号が入出力される外部接続端子５１を有する。
これによれば、頭部装着型表示装置２に画像信号を出力するだけでなく、接続されたイヤホンに音声信号を出力できるので、中継装置３Ａの汎用性を高められる。
【００５２】
外部接続端子５１は、第１面５Ａ１に設けられ、複数の第１細線ＴＬ１のうち、第１コネクター６１１に接続される第１細線ＴＬ１１の本数は、第２面５Ａ２に位置する第２コネクター６１２に接続される第１細線ＴＬ１２の本数より小さい。
これによれば、外部接続端子５１が設けられる第１面５Ａ１に位置する第１コネクター６１１を、第２コネクター６１２に比べて小さく構成できる。従って、外部接続端子５１が設けられた場合でも、第１コネクター６１１を第１面５Ａ１に配置でき、基板５Ａの大型化を抑制できる。
【００５３】
中継装置３Ａは、基板５Ａを収容する筐体４Ａを備える。筐体４Ａは、第１ケーブルＣ１の延出方向に交差する外面部としての天面部４３と、天面部４３に位置し、第１ケーブルＣ１が挿通される第１開口部４３２と、天面部４３に位置し、外部接続端子５１のイヤホンジャックＥＪを露出させる第２開口部４３３と、を有する。第２開口部４３３は、天面部４３において基板５Ａの第２面５Ａ２から第１面５Ａ１に向かう方向である＋Ｚ方向における略中央に位置する。
これによれば、イヤホンジャックＥＪが露出される第２開口部４３３が天面部４３における＋Ｚ方向の略中央に位置することにより、中継装置３Ａの外観を良好にできる。この他、第２開口部４３３へのイヤホン端子の挿入を容易に実施できるので、使い勝手がよい中継装置３Ａを構成できる。
【００５４】
第１コネクター６１１は、第１面５Ａ１の法線方向である＋Ｚ方向から見て第１方向である＋Ｙ方向に交差する＋Ｘ方向に沿い、かつ、複数の第１細線ＴＬ１の一部である複数の第１細線ＴＬ１１が接続される第１接続面６１１１を有する。また、第２コネクター６１２は、第２面５Ａ２の法線方向である−Ｚ方向から見て＋Ｘ方向に沿い、かつ、複数の第１細線ＴＬ１の他の一部である複数の第１細線ＴＬ１２が接続される第２接続面６１２１を有する。
これによれば、第１コネクター６１１への第１細線ＴＬ１１の接続、及び、第２コネクター６１２への第１細線ＴＬ１２の接続を容易に実施できる。
【００５５】
中継装置３Ａは、基板５Ａの第２面５Ａ２に設けられ、第２ケーブルＣ２を介して外部機器ＥＤから入力される画像情報を処理して第１ケーブルＣ１を介して頭部装着型表示装置２に画像信号を出力する画像処理回路５７を備える。
これによれば、中継装置３Ａが画像処理回路５７を備えることにより、頭部装着型表示装置２の処理負担を軽減できる他、頭部装着型表示装置２の構成を簡略化できる。
また、画像処理回路５７が、入力される画像情報に基づいて左眼用画像情報及び右眼用画像情報を生成し、第１ケーブルＣ１を介して頭部装着型表示装置２に出力することにより、頭部装着型表示装置２の左側表示部２１Ｌ及び右側表示部２１Ｒによって、右眼用画像及び左眼用画像を適切に表示できる。
【００５６】
第１ケーブルＣ１は、頭部装着型表示装置２に接続されている。
これによれば、第２ケーブルＣ２より多くの細線を有する第１ケーブルＣ１が頭部装着型表示装置２に接続されていることにより、右眼用画像信号及び左眼用画像信号を頭部装着型表示装置２に個別に出力できる。従って、例えば、左眼用画像信号及び右眼用画像信号を時分割で出力する構成に比べて、頭部装着型表示装置２によって表示される左眼用画像及び右眼用画像のフレームレートを高めることができる。
【００５７】
［第１実施形態の第１変形例］
中継装置３Ａでは、第１ケーブルＣ１が有する複数の第１細線ＴＬ１は、第１面５Ａ１に実装された第１コネクター６１１と、第２面５Ａ２に実装された第２コネクター６１２とに接続されるとした。一方、第２ケーブルＣ２が有する複数の第２細線ＴＬ２は、第１面５Ａ１に実装された１つのコネクターである第２接続部６２に接続されるとした。しかしながら、これに限らず、第２接続部は、基板の第１面に実装されたコネクターと、基板の第２面に実装されたコネクターとによって構成され、複数の第２細線ＴＬ２は、各コネクターに分かれて接続されてもよい。
【００５８】
図７及び図８は、中継装置３Ａの変形である中継装置３Ｂを構成する基板５Ｂを示す正面図及び背面図である。換言すると、図７及び図８は、基板５Ｂを＋Ｚ方向から見た平面図及び−Ｚ方向から見た平面図である。
例えば、図７及び図８に示す中継装置３Ｂを中継装置３Ａに代えて採用してもよい。
中継装置３Ｂは、基板５Ａに代えて基板５Ｂを有する他は、中継装置３Ａと同様の構成及び機能を有する。
【００５９】
基板５Ｂは、第２接続部６２に代えて第２接続部６３を有する他は、基板５Ａと同様の構成及び機能を有する。
第２接続部６３は、＋Ｚ方向の面である第１面５Ｂ１に設けられる第３コネクターとしてのコネクター６３１と、−Ｚ方向の面であり、第１面５Ｂ１と表裏の関係にある第２面５Ｂ２に設けられる第４コネクターとしてのコネクター６３２と、を有する。
【００６０】
コネクター６３１は、図７に示すように、複数の第２細線ＴＬ２のうち、第１面５Ｂ１側に引き回された一部の第２細線ＴＬ２である複数の第２細線ＴＬ２１が接続されるコネクターである。コネクター６３１は、複数の第２細線ＴＬ２１が接続される接続面６３１１が＋Ｚ方向から見て＋Ｘ方向に沿い、かつ、−Ｙ方向を向くように配置される。なお、本実施形態では、コネクター６３１は、基板５Ａにおいて第２接続部６２が配置された部位と略同じ部位に配置されている。
【００６１】
コネクター６３２は、図８に示すように、基板５Ｂにおいて−Ｙ方向の部位に配置され、複数の第２細線ＴＬ２のうち、第２面５Ｂ２側に引き回された他の一部の第２細線ＴＬ２である複数の第２細線ＴＬ２２が接続されるコネクターである。コネクター６３２は、複数の第２細線ＴＬ２２が接続される接続面６３２１が−Ｚ方向から見て＋Ｘ方向に沿い、かつ、−Ｙ方向を向くように配置される。
なお、基板５Ｂにおいてコネクター６３２に対する−Ｙ方向の位置には、＋Ｘ方向及び＋Ｙ方向のそれぞれに沿って２つずつ、合計４つの回路素子５６が実装されており、当該４つの回路素子５６は、複数の第２細線ＴＬ２２によって−Ｚ方向にて覆われている。しかしながら、第２細線ＴＬ２２によって覆われる回路素子５６は、無くてもよい。
また、コネクター６３１に接続される第２細線ＴＬ２１の本数と、コネクター６３２に接続される第２細線ＴＬ２２の本数とは、異なっていてもよく、同数でもよい。
【００６２】
このような中継装置３Ｂ、及び、中継装置３Ｂを中継装置３Ａに代えて備える表示システムによれば、上記した中継装置３Ａ及び表示システム１と同様の効果を奏することができる他、以下の効果を奏することができる。
基板５Ｂが備える第２接続部６３は、第１面５Ｂ１に位置し、複数の第２細線ＴＬ２の一部である複数の第２細線ＴＬ２１が接続される第３コネクターとしてのコネクター６３１と、第２面５Ｂ２に位置し、複数の第２細線ＴＬ２の他の一部である複数の第２細線ＴＬ２２が接続される第４コネクターとしてのコネクター６３２と、を有する。
これによれば、複数の第２細線ＴＬ２がコネクター６３１，６３２に分かれて接続される。これによれば、第１接続部６１の各コネクター６１１，６１２のそれぞれに接続される第１細線ＴＬ１の本数、及び、第２接続部６３の各コネクター６３１，６３２のそれぞれに接続される第２細線ＴＬ２の本数をそれぞれ設定することにより、基板５Ｂの＋Ｘ方向の寸法を基板５Ａの＋Ｘ方向の寸法より小さくすることが可能である。
【００６３】
［第１実施形態の第２変形例］
また、第１接続部６１及び第２接続部６２を構成するコネクターの配置態様は、第１細線ＴＬ１又は第２細線ＴＬ２が接続される接続面が＋Ｚ方向又は−Ｚ方向から見て＋Ｘ方向に沿い、かつ、＋Ｙ方向又は−Ｙ方向を向くように配置される配置態様に限らない。
例えば、コネクターは、細線が接続される接続面が＋Ｙ方向に傾斜するように配置されていてもよい。また、コネクターは、接続面が＋Ｙ方向に沿い、かつ、＋Ｘ方向又は−Ｘ方向を向くように配置されてもよい。
【００６４】
図９は、中継装置３Ａの変形である中継装置３Ｃの基板５Ｃを示す正面図である。
例えば、図９に示す中継装置３Ｃを中継装置３Ａに代えて採用してもよい。
中継装置３Ｃは、基板５Ａに代えて基板５Ｃを有する他は、中継装置３Ａと同様の構成及び機能を有する。また、基板５Ｃは、第１接続部６１を構成する第１コネクター６１１の配置が異なる他は、基板５Ａと同様の構成及び機能を有する。例えば、基板５Ｃは、＋Ｚ方向の面である第１面５Ｃ１と、−Ｚ方向の面であり、第１面５Ｃ１と表裏の関係にある第２面５Ｃ２と、第１面５Ｃ１に実装される第１コネクター６１１及び第２接続部６２と、第２面５Ｃ２に実装される第２コネクター６１２（図９では図示省略）と、を有する。
【００６５】
基板５Ｃの第１面５Ｃ１において、第１接続部６１を構成する第１コネクター６１１は、複数の第１細線ＴＬ１１が接続される第１接続面６１１１が＋Ｚ方向から見て＋Ｙ方向に沿い、かつ、−Ｘ方向を向くように配置されている。そして、複数の第１細線ＴＬ１１は、＋Ｘ方向に沿って第１コネクター６１１に接続される。なお、図示を省略するが、第２コネクター６１２は、第２接続面６１２１が−Ｚ方向から見て＋Ｙ方向に沿い、かつ、＋Ｘ方向又は−Ｘ方向を向くように配置されてもよい。
このような中継装置３Ｃ、及び、中継装置３Ｃを中継装置３Ａに代えて備える表示システムによれば、上記した中継装置３Ａ及び表示システム１と同様の効果を奏することができる。
【００６６】
［第２実施形態］
次に、本発明の第２実施形態について説明する。
本実施形態に係る表示システムは、第１実施形態にて示した表示システム１と同様の構成を有するが、第２外部機器と接続可能な第３接続部を中継装置が更に有する点において、表示システム１と相違する。なお、以下の説明では、既に説明した部分と同一又は略同一である部分については、同一の符号を付して説明を省略する。
【００６７】
図１０は、本実施形態に係る表示システムが有する中継装置３Ｄの内部構成を示す正面図である。換言すると、図１０は、中継装置３Ｄが備える基板５Ｄを＋Ｚ方向から見た平面図である。
本実施形態に係る表示システムは、中継装置３Ａに代えて中継装置３Ｄを有する他は、表示システム１と同様の構成及び機能を有する。また、中継装置３Ｄは、図１０に示すように、基板５Ａに代えて基板５Ｄを有する他は、中継装置３Ａと同様の構成を有する。
【００６８】
基板５Ｄは、第３接続部６４を更に備える他は、基板５Ａと同様の構成及び機能を有する。例えば、基板５Ｄは、＋Ｚ方向の面である第１面５Ｄ１と、−Ｚ方向の面であり、第１面５Ｄ１と表裏の関係にある第２面５Ｄ２と、第１接続部６１及び第２接続部６２とを備え、第１接続部６１の第１コネクター６１１及び第２接続部６２は、第１面５Ｄ１に設けられ、第１接続部６１の第２コネクター６１２は、第２面５Ｄ２に設けられている。
【００６９】
第３接続部６４は、第１外部機器としての外部機器ＥＤとは異なる第２外部機器（図示省略）と接続されるケーブルとしての第３ケーブルＣ３が挿抜可能に構成されている。第３接続部６４は、第１面５Ｄ１における−Ｙ方向の端部に、第３ケーブルＣ３のケーブル端子Ｃ３１が挿抜される挿入口５８１が−Ｙ方向を向くように配置されている。すなわち、第３接続部６４は、第３ケーブルＣ３を介して第２外部機器から第３接続部６４に入力される電気信号を基板５Ｄに対して出力可能、或いは、基板５Ｄから入力される電気信号を第２外部機器に第３ケーブルＣ３を介して出力可能に、基板５Ｄに実装されている。
【００７０】
なお、図示を省略するが、中継装置３Ｄの筐体４Ａにおける底面部４４には、挿入口５８１に応じた位置に開口部が形成されており、挿入口５８１は、当該開口部を介して、筐体４Ａの外部に露出される。そして、開口部を介して露出される挿入口５８１は、底面部４４において＋Ｚ方向の略中央に位置している。
また、本実施形態では、第３接続部６４は、ＵＳＢ  Ｔｙｐｅ−Ｃ端子を挿入口５８１に挿抜可能に構成されている。しかしながら、これに限らず、第３接続部６４は、ミニＵＳＢ端子やマイクロＵＳＢ端子等、他のＵＳＢ端子を挿抜可能に構成されていてもよく、他のケーブル端子、例えばDisplayPortやＨＤＭＩ等の映像入力ケーブルのケーブル端子を挿抜可能に構成されていてもよい。
【００７１】
このような中継装置３Ｄ、及び、中継装置３Ｄを中継装置３Ａに代えて備える表示システムによれば、中継装置３Ａ及び表示システム１と同様の効果を奏することができる他、以下の効果を奏することができる。
中継装置３Ｄが備える基板５Ｄは、基板５Ｄにおいて第１方向とは反対方向である−Ｙ方向の部位に設けられ、第２外部機器と接続される第３ケーブルが挿抜可能な第３接続部６４を有する。
これによれば、中継装置３Ｄは、外部機器ＥＤだけでなく、第２外部機器と接続可能である。従って、中継装置３Ｄの汎用性を高めることができる。
【００７２】
［第２実施形態の変形］
中継装置３Ｄでは、基板５Ｄは、第２ケーブルＣ２を構成する複数の第２細線ＴＬ２と接続される第２接続部６２と、第２外部機器（図示省略）と接続される第３ケーブルＣ３が挿抜可能な第３接続部６４と、を備えるとした。しかしながら、これに限らず、第２接続部６２は、無くてもよい。この場合、第３接続部６４を第２接続部として見なせばよく、第３接続部６４に接続される第３ケーブルＣ３を第２ケーブルと見なせばよい。
【００７３】
［第３実施形態］
次に、本発明の第３実施形態について説明する。
本実施形態に係る表示システムは、第１実施形態にて示した表示システム１と同様の構成を有するが、第２接続部の構成が異なる点で、表示システム１と相違する。なお、以下の説明では、既に説明した部分と同一又は略同一である部分については、同一の符号を付して説明を省略する。
【００７４】
図１１は、本実施形態に係る表示システムが有する中継装置３Ｅの内部構成を示す正面図である。換言すると、図１１は、中継装置３Ｅが備える基板５Ｅを＋Ｚ方向から見た平面図である。
本実施形態に係る表示システムは、中継装置３Ａに代えて中継装置３Ｅを有する他は、上記した表示システム１と同様の構成を備える。また、中継装置３Ｅは、図１１に示すように、筐体４Ａ及び基板５Ａに代えて筐体４Ｅ及び基板５Ｅを有し、第２ケーブルＣ２に代えて第２ケーブルＣ４が挿抜可能に構成されている他は、中継装置３Ａと同様の構成及び機能を有する。
【００７５】
筐体４Ｅは、底面部４４に代えて底面部４４Ｅを有する他は、筐体４Ａと同様の構成及び機能を有する。
底面部４４Ｅは、保持部４４１に代えて、底面部４４Ｅの＋Ｘ方向における略中央で、＋Ｚ方向における略中央に位置する開口部４４Ｅ１を有する。開口部４４Ｅ１は、基板５Ｅに実装された第２接続部６５が有する挿入口６５１１を筐体４Ｅ外に露出させる。
【００７６】
基板５Ｅは、第２接続部６２に代えて第２接続部６５に有する他は、基板５Ａと同様の構成を有する。すなわち、基板５Ｅは、＋Ｚ方向の面である第１面５Ｅ１と、−Ｚ方向の面であり、第１面５Ｅ１と表裏の関係にある第２面５Ｅ２と、を有する。また、基板５Ｅは、第１面５Ｅ１にそれぞれ設けられる外部接続端子５１、接続素子５２、プッシュスイッチ５３，５４、複数の回路素子５５、及び、第１接続部６１を構成する第１コネクター６１１と、第２接続部６５を有する。更に基板５Ｅは、図示を省略するが、第２面５Ｅ２に設けられ、第１接続部６１を構成する第２コネクター６１２と、第２面５Ｅ２にそれぞれ設けられる複数の回路素子５６及び画像処理回路５７と、を有する。
【００７７】
第２接続部６５は、それぞれ第１面５Ｅ１に設けられた端子部６５１及びコネクター６５２と、端子部６５１及びコネクター６５２を接続する複数の細線ＴＬ３と、を有する。
端子部６５１は、第１面５Ｅ１における−Ｙ方向の端部に設けられている。端子部６５１は、第１外部機器としての外部機器ＥＤと接続される第２ケーブルＣ４のケーブル端子Ｃ４１が挿抜可能に構成されており、端子部６５１は、ケーブル端子Ｃ４１が挿抜される挿入口６５１１が−Ｙ方向に開口するように配置される。端子部６５１における＋Ｙ方向の面からは、複数の細線ＴＬ３が＋Ｙ方向に延出している。
【００７８】
コネクター６５２は、基板５Ａにおける第２接続部６２の位置と同様の位置に実装されている。換言すると、コネクター６５２は、第１面５Ｅ１において端子部６５１に対する＋Ｙ方向の位置に、複数の細線ＴＬ３が接続される接続面６５２１が＋Ｚ方向から見て＋Ｘ方向に沿い、かつ、−Ｙ方向を向くように配置されている。そして、コネクター６５２は、端子部６５１及び複数の細線ＴＬ３を介して第２ケーブルＣ４から入力される電気信号を、基板５Ｅに出力する。
なお、第１面５Ｅ１において端子部６５１とコネクター６５２との間には、上記と同様に、複数の回路素子５５が実装されており、複数の細線ＴＬ３は、複数の回路素子５５を＋Ｚ方向にて覆う。
【００７９】
［第３実施形態の効果］
このような中継装置３Ｅ、及び、中継装置３Ｅを中継装置３Ａに代えて有する表示システムによれば、中継装置３Ａ及び表示システム１と同様の効果を奏することができる。
すなわち、本実施形態に係る表示システムは、ユーザーの頭部に装着される頭部装着型表示装置２と、中継装置３Ｅと、を備える。中継装置３Ｅは、頭部装着型表示装置２と第１外部機器としての外部機器ＥＤとを接続するものであり、中継装置３Ｅは、基板５Ｅと、複数の第１細線ＴＬ１を有し、基板５Ｅの法線方向である＋Ｚ方向から見て第１方向である＋Ｙ方向に延出する第１ケーブルＣ１と、を備える。基板５Ｅは、＋Ｚ方向の面である第１面５Ｅ１と、−Ｚ方向の面であり、第１面５Ｅ１とは表裏の関係にある第２面５Ｅ２と、＋Ｙ方向に位置し、複数の第１細線ＴＬ１が接続される第１接続部６１と、第１方向とは反対方向である−Ｙ方向に位置し、第２ケーブルＣ４が接続可能な第２接続部６５と、を有する。第１接続部６１は、第１面５Ｅ１に位置し、複数の第１細線ＴＬ１の一部である複数の第１細線ＴＬ１１が接続される第１コネクター６１１と、第２面５Ｅ２に位置し、複数の第１細線ＴＬ１の他の一部である複数の第１細線ＴＬ１２が接続される第２コネクター６１２と、を有する。そして、第１ケーブルＣ１は、頭部装着型表示装置２に接続され、第２ケーブルＣ４は、外部機器ＥＤと接続される。
これによれば、上記した中継装置３Ａと同様の効果を奏することができ、ひいては、表示システム１と同様の効果を奏することができる。
なお、第２実施形態の変形にて示したように、端子部６５１が、第２ケーブルＣ４に対して入出力される電気信号を基板５Ｅに対して入出力可能であれば、コネクター６５２及び複数の細線ＴＬ３は無くてもよい。
【００８０】
［実施形態の変形］
本発明は、上記各実施形態に限定されるものではなく、本発明の目的を達成できる範囲での変形、改良等は本発明に含まれるものである。
上記各実施形態及び変形にて示した構成は、互いに組み合わされてもよい。
例えば、上記第２実施形態にて示した第２接続部６２を、第１面に設けられて、複数の第２細線ＴＬ２のうち第１面側に引き回された複数の第２細線ＴＬ２１と接続されるコネクターと、第２面に設けられて、複数の第２細線ＴＬ２のうち第２面側に引き回された複数の第２細線ＴＬ２２と接続されるコネクターとを有する構成としてもよい。
また例えば、上記第２及び第３実施形態にて示した第１接続部６１の第１コネクター６１１及び第２コネクター６１２の少なくとも１つのコネクターを、上記第１実施形態の第２変形例にて示したように、基板の第１面又は第２面の法線方向から見て、接続面が＋Ｙ方向に沿い、かつ、＋Ｘ方向又は−Ｘ方向を向くように配置してもよい。
【００８１】
上記各実施形態では、複数の第１細線ＴＬ１１、複数の第２細線ＴＬ２，ＴＬ２１及び複数の細線ＴＬ３は、それぞれ、複数の回路素子５５を＋Ｚ方向にて覆い、複数の第１細線ＴＬ１２及び複数の第２細線ＴＬ２２は、それぞれ、複数の回路素子５６を＋Ｚ方向にて覆うとした。しかしながら、これに限らず、複数の第１細線ＴＬ１１，ＴＬ１２、複数の第２細線ＴＬ２，ＴＬ２１，ＴＬ２２及び複数の細線ＴＬ３は、回路素子５５，５６を必ずしも覆わなくてもよい。また、複数の第１細線ＴＬ１１，ＴＬ１２、複数の第２細線ＴＬ２，ＴＬ２１，ＴＬ２２及び複数の細線ＴＬ３によって覆われる回路素子５５，５６の数は、適宜変更可能である。
【００８２】
上記各実施形態では、第１ケーブルＣ１は、頭部装着型表示装置２に接続され、第２ケーブルＣ２，Ｃ４は、外部機器ＥＤに接続されるとした。しかしながら、これに限らず、第１ケーブルは、外部機器と接続されていてもよく、第２ケーブルは、頭部装着型表示装置と接続されていてもよい。
また、上記のように、第２ケーブルＣ２，Ｃ４及び第３ケーブルＣ３は、ＵＳＢケーブルに限らず、他の映像入力ケーブルであってもよい。更に、第２ケーブルＣ２，Ｃ４の端子及び第３ケーブルＣ３の端子も、それぞれ適宜変更可能である。
【００８３】
上記各実施形態では、基板５Ａ〜５Ｅの各第１面には、イヤホンジャックＥＪを有する外部接続端子５１が＋Ｙ方向の部位に実装されているとした。しかしながら、これに限らず、外部接続端子５１は無くてもよい。また、外部接続端子５１が基板に設けられる場合でも、外部接続端子５１の位置は、第１面における＋Ｙ方向の部位に限らず、適宜変更可能である。接続素子５２、プッシュスイッチ５３，５４、回路素子５５，５６及び画像処理回路５７の配置位置も同様に、適宜変更可能である。
【００８４】
上記各実施形態では、外部接続端子５１のイヤホンジャックＥＪと、イヤホンジャックＥＪを筐体の外部に露出させる第２開口部４３３とは、天面部４３における＋Ｚ方向の中央に位置するとした。しかしながら、これに限らず、イヤホンジャックＥＪ及び第２開口部は、必ずしも＋Ｚ方向における中央に位置していなくてもよい。また、中継装置の筐体において、イヤホンジャックＥＪが露出される面は、他の面でもよい。更に、上記のように、イヤホンジャックＥＪに代えて、或いは、加えて、他のケーブル端子が挿抜可能な端子部が設けられていてもよい。
【００８５】
上記各実施形態では、中継装置３Ａ〜３Ｅは、基板の第２面に実装された画像処理回路５７を備える他、音声処理回路を備えるとした。しかしながら、これに限らず、中継装置は、画像処理回路及び音声処理回路のうち少なくとも１つの回路を備えていなくてもよく、これらに代えて、他の処理回路を備えていてもよい。
【００８６】
上記第１及び第２実施形態では、第２ケーブルＣ２は、第１ケーブルＣ１の延出方向である＋Ｙ方向に対する反対方向である−Ｙ方向に延出するとした。しかしながら、これに限らず、第２ケーブルＣ２は、＋Ｚ方向から見て第１ケーブルＣ１の延出方向とは反対方向に向かって延出するのであれば、必ずしも−Ｙ方向と平行でなくてもよく、−Ｙ方向に対して＋Ｘ方向又は−Ｘ方向に傾斜しつつ−Ｙ方向に延出していてもよい。上記第３実施形態における第２ケーブルＣ４の延出方向も同様である。
また、＋Ｚ方向から見た場合の第２ケーブルＣ２の位置、及び、第２ケーブルＣ２の第２細線ＴＬ２が接続される第２コネクター６１２の位置も、基板５Ａ〜５Ｄにおける−Ｘ方向の端部と＋Ｘ方向の端部との間であれば、どこでもよい。例えば、＋Ｚ方向から見て、第２ケーブルＣ２の延出方向が−Ｙ方向に対して傾斜する場合、基板５Ａ〜５Ｄにおける−Ｙ方向の端部までの間に、基板５Ａ〜５Ｄにおける−Ｘ方向の端部及び＋Ｘ方向の端部より基板５Ａ〜５Ｄの外側に第２ケーブルＣ２が位置しない範囲で、第２ケーブルＣ２及び第２コネクター６１２の配置を変更してもよい。
【００８７】
上記各実施形態では、頭部装着型表示装置２は、表示部２１、支持部２２及びテンプル２３Ｌ，２３Ｒを備える構成とした。しかしながら、表示システムを構成する頭部装着型表示装置の構成は、上記に限定されない。例えば、頭部装着型表示装置２は、テンプル２３Ｌ，２３Ｒに代えてバンド等によってユーザーの頭部に装着されてもよい。
また、表示部２１は、左側表示部２１Ｌ及び右側表示部２１Ｒを有するとした。しかしながら、これに限らず、左側表示部２１Ｌ及び右側表示部２１Ｒのうちの一方は無くてもよい。
更に、左側表示部２１Ｌは、画像出射部としての左側出射部２１Ｌ１と、導光部としての左側導光部２１Ｌ２とを有し、右側表示部２１Ｒは、画像出射部としての右側出射部２１Ｒ１と、導光部としての右側導光部２１Ｒ２とを有するとした。しかしながら、表示部の構成は上記に限定されない。例えば、ユーザーの眼に応じた位置に表示パネルが設けられていてもよい。すなわち、ユーザーが視認可能に画像を表示できれば、表示部の構成は、上記に限定されない。
【符号の説明】
【００８８】
１…表示システム、２…頭部装着型表示装置、３Ａ，３Ｂ，３Ｃ，３Ｄ，３Ｅ…中継装置、４Ａ，４Ｅ…筐体、４３…天面部（外面部）、４３２…第１開口部、４３３…第２開口部、５Ａ，５Ｂ，５Ｃ，５Ｄ，５Ｅ…基板、５Ａ１，５Ｂ１，５Ｃ１，５Ｄ１，５Ｅ１…第１面、５Ａ１１，５Ａ１２，５Ａ１３…領域、５Ａ２，５Ｂ２，５Ｃ２，５Ｄ２，５Ｅ２…第２面、５１…外部接続端子、５２…接続素子、５３，５４…プッシュスイッチ、５５，５６…回路素子、５７…画像処理回路、５８…第３接続部、６１…第１接続部、６１１…第１コネクター、６１１１…第１接続面、６１２…第２コネクター、６１２１…第２接続面、６２，６３，６５…第２接続部、６２１…接続面、６３１…コネクター（第３コネクター）、６３２…コネクター（第４コネクター）、６４…第３接続部、Ｃ１…第１ケーブル、Ｃ２，Ｃ４…第２ケーブル、Ｃ３…ケーブル、ＥＪ…イヤホンジャック、ＫＴ…キートップ、ＴＬ１（ＴＬ１１，ＴＬ１２）…第１細線、ＴＬ２（ＴＬ２１，ＴＬ２２）…第２細線、ＴＬ３…細線。
【図１】
2020052799.tif 000003
【図２】
2020052799.tif 000004
【図３】
2020052799.tif 000005
【図４】
2020052799.tif 000006
【図５】
2020052799.tif 000007
【図６】
2020052799.tif 000008
【図７】
2020052799.tif 000009
【図８】
2020052799.tif 000010
【図９】
2020052799.tif 000011
【図１０】
2020052799.tif 000012
【図１１】
2020052799.tif 000013